(57)【要約】【課題】コストダウンが可能な指針式表示装置を提供する。【解決手段】駆動源５３と、指針５４と、表示板５５とを有する指針式表示手段５と、観察者から見て第１の指針領域ＰＡ１及び第１の表示板領域ＤＡ１を透視不能に覆うと共に第２の指針領域ＰＡ２及び第２の表示板領域ＤＡ２を視認できるように指針式表示手段５上に設けられる液晶表示手段６と、光源５２とを備え、第１の指針領域ＰＡ及び第１の表示板領域ＤＡ１を光透過性材料にて形成することにより光源５２の光を液晶表示手段６に向けて透過させる透光領域を設け、前記液晶表示手段６を支持する支持部材７に調光手段７４または遮光手段７５を設けた。【選択図】図２
2010112721.tif 000002
【特許請求の範囲】
【請求項１】
駆動源と、この駆動源を通じて軸回り回転する指針と、この指針に対応した指標部を設けてなる表示板とを有し、前記指針によって前記指標部を指示する指針式表示手段と、
観察者から見て前記指針の回転中心領域を含む第１の指針領域及び当該第１の指針領域の周囲に位置する前記表示板の第１の表示板領域を透視不能に覆うと共に前記指針の自由端側に位置する第２の指針領域及び少なくとも前記指標部を含む第２の表示板領域を視認できるように前記指針式表示手段上に設けられる液晶表示手段と、
前記指針式表示手段の前記観察者とは反対側に設けられ前記指針及び前記指標部を照明する光源とを備え、
前記指針式表示手段が、前記第１の指針領域及び前記第１の表示板領域を光透過性材料にて形成することにより前記光源の光を前記液晶表示手段に向けて透過させる透光領域を有し、
前記指針式表示手段と前記液晶表示手段との間に、前記透光領域を透過した光を前記液晶表示手段に透過させる透光性材料からなり、前記液晶表示手段を指針式表示手段上に支持する支持部材を設け、この支持部材に、前記液晶表示手段側に透過する光の透過量を調整する調光手段、または前記透光領域から前記第２の表示板領域側に向かう光を遮光する遮光手段を設けたことを特徴とする指針式表示装置。
【請求項２】
前記調光手段が前記支持部材または前記支持部材上に設けられた透光部材に被着された網点層からなることを特徴とする請求項１記載の指針式表示装置。
【請求項３】
前記遮光手段が前記指針式表示手段に向けて伸びる遮光壁として前記透光領域に沿って形成されることを特徴とする請求項１記載の指針式表示装置。
【発明の詳細な説明】
【技術分野】
【０００１】
本発明は、例えば車両に搭載される指針式表示装置に関し、特に観察者から指針式表示手段の観察者側に液晶表示手段を設置してなるタイプの指針式表示装置に係わる。
【背景技術】
【０００２】
この種の指針式表示装置として、例えば下記特許文献１に記載されているものが知られている。当該特許文献記載の指針式表示装置は、例えばステッピングモータからなる駆動源と、この駆動源を通じて軸回り回転する指針と、この指針に対応した目盛や数字等の指標部を設けてなる表示板とを有し、指針によって指標部を指示する指針式表示手段と、観察者から見て指針の回転中心領域及びその周囲に位置する表示板領域を透視不能に覆うと共に入力信号に応じて所定情報を表示する情報表示部を有し、指針の自由端側領域及び指標部を含む表示板領域を視認できるように指針式表示手段上に設けられる液晶表示手段と、指針及び表示板（指標部）を照明する光源と、の前記観察者とは反対側に設けられ前記指針及び前記指標部を照明する指針式表示手段用光源と、液晶表示手段を照明する液晶表示手段光源と、この液晶表示手段光源の光を液晶表示手段に導く導光体とを備えている。
【０００３】
そして、指針式表示手段用光源の点灯により指針と指標部とを透過照明し、また液晶表示手段光源の点灯によりその光を導光体を通じて液晶表示手段に導き透過照明するように構成されている。
【０００４】
【特許文献１】特開２００２−０３９８０７号公報
【発明の開示】
【発明が解決しようとする課題】
【０００５】
しかしながら、特許文献１記載の指針式表示装置は、液晶表示手段を透過照明するにあたり、専用の光源が必要であるため、部品点数の増加によるコストアップを余儀なくされるという問題があった。
【０００６】
本発明は、この点に鑑みてなされたもので、コストダウンが可能であることに加え、照明バランスも向上させることが可能な指針式表示装置を提供するものである。
【課題を解決するための手段】
【０００７】
本発明は、前記目的を達成するため、駆動源と、この駆動源を通じて軸回り回転する指針と、この指針に対応した指標部を設けてなる表示板とを有し、前記指針によって前記指標部を指示する指針式表示手段と、観察者から見て前記指針の回転中心領域を含む第１の指針領域及び当該第１の指針領域の周囲に位置する前記表示板の第１の表示板領域を透視不能に覆うと共に前記指針の自由端側に位置する第２の指針領域及び少なくとも前記指標部を含む第２の表示板領域を視認できるように前記指針式表示手段上に設けられる液晶表示手段と、前記指針式表示手段の前記観察者とは反対側に設けられ前記指針及び前記指標部を照明する光源とを備え、前記指針式表示手段が、前記第１の指針領域及び前記第１の表示板領域を光透過性材料にて形成することにより前記光源の光を前記液晶表示手段に向けて透過させる透光領域を有し、前記指針式表示手段と前記液晶表示手段との間に、前記透光領域を透過した光を前記液晶表示手段に透過させる透光性材料からなり、前記液晶表示手段を指針式表示手段上に支持する支持部材を設け、この支持部材に、前記液晶表示手段側に透過する光の透過量を調整する調光手段、または前記透光領域から前記第２の表示板領域側に向かう光を遮光する遮光手段を設けたことを特徴とする。
このように指針式表示部手段に設けた透光領域を通じて液晶表示手段が透過照明されるため、専用の光源が不要となり、構造の簡素化並びにコストダウンを達成することができる。しかも支持部材に調光手段を設けた場合は、液晶表示手段に向かう光量を調整することが可能であり、支持部材に遮光手段を設けた場合は、前記第２の表示板領域側に向かう光を遮光することが可能であるため、照明バランスも向上させることができる。
【０００８】
また本発明は、前記調光手段が前記支持部材または前記支持部材上に設けられた透光部材に被着された網点層からなることを特徴とする。
このように調光手段を網点層とすることにより、簡便で安価に調光を行うことができる。
【０００９】
また本発明は、前記遮光手段が前記指針式表示手段に向けて伸びる遮光壁として前記透光領域に沿って形成されることを特徴とする。
このように遮光手段を構成することにより、第２の表示板領域側に向かう光を良好に遮光することができる。
【発明の効果】
【００１０】
本発明によれば、初期の目的を達成でき、コストダウンが可能であることに加え、照明バランスも向上させることが可能な指針式表示装置を提供することができる。
【発明を実施するための最良の形態】
【００１１】
図１、図２は、本発明の一実施形態として、本発明による指針式表示装置を例えば自動車用の計器に適用したもので、図１は指針式表示装置の正面図、図２は図１のＡ−Ａ断面図である。
【００１２】
図１，図２において、本実施形態による指針式表示装置は、第１のケース体１と、第２のケース体２と、見返し部材３と、透明カバー４と、指針式表示手段５と、液晶表示手段６と、支持部材７とで構成されている。
【００１３】
第１のケース体１は、観察者側に開口する遮光性の合成樹脂部品からなり、内部に指針式表示手段５を収納している。
【００１４】
第２のケース体２は、第１のケース体１の開口側に配置される遮光性の合成樹脂部品からなり、指針式表示手段５の外周部所要領域を被覆する化粧枠体として機能と、支持部材７を支持する支持体としての機能を有している。
【００１５】
見返し部材３は、指針式表示手段５及び液晶表示手段６が視認できるように支持部材７と液晶表示手段６の所要部を覆う遮光性の合成樹脂部品からなる。
【００１６】
透明カバー４は、指針式表示手段５及び液晶表示手段６が透視できる第１のケース体１の開口側を覆う透明な合成樹脂部品からなる。
【００１７】
指針式表示手段５は、回路基板５１と、光源５２と、駆動源５３と、指針５４と、表示板５５と、導光板５６とを有している。
【００１８】
回路基板５１は、周知な硬質回路基板からなり、その観察者側の面には、図示しない回路パターンが形成され、その回路パターンに光源５２と、駆動源５３が実装されている。
【００１９】
光源５２は、例えば発光ダイオードからなり、駆動源５３の周囲に複数個配置されている。
【００２０】
駆動源５３は、例えばステッピングモータからなり、モータ本体から突出する駆動軸５３１に指針５４が連結され、計測量に応じて駆動軸５３１が回転することで、指針５４による表示板５５上での指示を可能としている。
【００２１】
指針５４は、表示板５５の板面に沿って延びる指示部５４１と、この指示部５４１に装着される透過部材（光拡散部材）５４２とで構成されている。
【００２２】
指示部５４１は、透光性合成樹脂からなり、その回転中心領域ＲＡが駆動軸５３１に連結されると共に、導光板５６からの光を先端方向に反射する反射部５４３が形成されている。
【００２３】
またこの場合、指示部５４１の観察者とは反対側の面には、例えばホットスタンプ層からなる着色層５４４が形成され、指示部５４１が所定の色を有して視認されるように構成されている。
【００２４】
さらに指針５４は、回転中心領域ＲＡとこの回転中心領域ＲＡに連なる指示部５４１の部分領域と透過部材（光拡散部材）５４２とを含み、液晶表示手段６にて覆われて、観察者から視認されない第１の指針領域（透光領域）ＰＡ１と、指示部５４１の先端から回転中心領域ＲＡ側に延び、液晶表示手段６に覆われず、観察者から視認される第２の指針領域ＰＡ２とを有し、これら第１，第２の指針領域ＰＡ１，ＰＡ２は共に観察者側に向けて光を透過できるように構成されている。さらにまた着色層５４４は、その自由端側とは反対側に位置する端部が液晶表示手段６によって覆われ、観察者から見えない構成となっている。
【００２５】
透過部材５４２は、光透過性もしくは半透過性の合成樹脂材料を用いて、回転中心部ＲＣの観察者側の面及びその側周部を覆うカップ形に形成され、前記観察者側の面には、光を拡散させて観察者側に透過させるために微細な凹凸形状からなる光拡散部（図示しない）が設けられている。なおこの光拡散部は、観察者側に透過する光のムラを解消する目的で採用されるものであるが、光拡散部で充分でない場合は、調光用の印刷や別途調光部材を設けてもよい。
【００２６】
表示板５５は、透光性を有する合成樹脂からなる基板５５１と、この合成樹脂基板５５１に設けられた第１の層５５２及び第２の層５５３とを備えている。
【００２７】
第１の層５５２は、例えば白色等の光透過性インクを用いて、指針５４の第１の指針領域ＰＡ１の周囲に位置し、液晶表示手段によって覆われる第１の表示板領域（透光領域）ＤＡ１内に収まる範囲と、指針５４の指示対象となる指標部５５４箇所に印刷形成されている。
【００２８】
第２の層５５３は、例えば黒色の遮光性インクを用いて、第１の表示板領域ＤＡ１と指標部５５４となる箇所を除く領域、すなわち第１の表示板領域ＤＡ１の周囲に位置し、前記情報表示部によって覆われずに観察者から視認されると共に指標部５５４の背景となる第２の表示板領域ＤＡ２に印刷形成されている。
【００２９】
導光板５６は、透光性合成樹脂材料からなり、光源５２からの光を導入して指針５４及び表示板５５に導き、これらを照明する。具体的には、導光板５６によって光源５２の光を指針５４の回転中心領域ＲＡに供給する。供給光の一部は、反射部５４３を通じて反射されて、指示部５４１を着色層５４４の色で光輝させると共に、供給光の他の一部は、透光領域となした第１の指針領域（透光領域）ＰＡ１を透過あるいは拡散透過して、液晶表示手段６の後述する液晶表示手段６を背後から照明する。一方、表示板５５に導かれた光は、指標部５５４を透過することでこれを明るく照明すると共に、透光領域となした第１の表示板領域ＤＡ１を透過あるいは拡散透過して、液晶表示手段６を背後から照明する。
【００３０】
液晶表示手段６は、液晶が封入された一対のガラス基板と、半透過反射部材と、第１の偏光板と、第２の偏光板とを有し、入力信号に応じて例えば車速からなる所定情報を表示する。
【００３１】
液晶表示手段６は、指針５４の回転中心領域ＲＡ及びその周囲に位置する表示板５５領域（第１の指針領域ＰＡ１及び第１の表示板領域ＤＡ１）を透視不能に覆うように、支持部材７に保持される。
【００３２】
支持部材７は、例えば透明な合成樹脂からなり、第２の指針領域ＰＡ２及び第２の表示板領域ＰＡ２を透視可能に覆う覆い部７１と、この覆い部７１から連続して液晶表示手段６に沿って延び、液晶表示手段６を指針式表示手段５上に空間を空けて支持すると共に第１の指針領域ＰＡ１と第１の表示板領域ＤＡ１とでなる前記透光領域を透過した光を液晶表示手段６側に透過する支持部７２と、液晶表示手段６を位置規制する周壁状の位置規制部７３とを有している。
【００３３】
支持部７２の背面、すなわち指針式表示手段５側には、調光手段７４が形成されている。
【００３４】
この調光手段７４は、例えば印刷や転写により形成された網点層からなり、前記透光領域を経て支持部材７内に入光し液晶表示手段６側に透過する光の透過量を調整し、液晶表示手段６に向かう光の部分的あるいは領域的な強弱（不均衡）をやわらげるものであり、前記透光領域において液晶表示手段６に向かう光が相対的に強い部分または領域（例えば光源５２に近い部分）では、網点層を構成するドットの密度を高く設定し、逆に液晶表示手段６に向かう光が相対的に弱い部分または領域では、ドットの密度を低く設定するか、網点層自体を設けないようにして、液晶表示手段６に向かう光の強度的な不均一さを解消する。
【００３５】
なお調光手段７４は、支持部７２の背面ではなく、前面に設けたり、両面に設けることもできるし、支持部材７に直接設けなくてもよく、専用の透光性フィルム（透光部材）に調光手段を形成したものを支持部材７に貼り付けたり、支持部材７と液晶表示手段６との間に設けてもよい。
【００３６】
また支持部材７の背面には、前記透光領域から第２の表示板領域ＤＡ２側に向かう光、例えば前記透光領域を透過して液晶表示手段６に向かう光のうち、液晶表示手段６または支持部７２を通じて反射して、第２の表示板領域ＤＡ２側へ向かう光や、液晶表示手段６または支持部７２と前記透光領域との間を相互反射しながら第２の表示板領域ＤＡ２側へ向かう光を遮光する遮光手段７５が設けられている。
【００３７】
この遮光手段７５は、支持部材７とは異なる遮光性合成樹脂を支持部材７内にインサート成形してなるもので、指針式表示手段５に向けて伸びる遮光壁として前記透光領域の外周に沿って形成されている。
【００３８】
なお遮光手段７５は、遮光性部材を支持部材７に溶着したり、見返し部材３の一部を支持部材７に貫通させて設けてもよい。また支持部材７と一体に伸びる透光性突出部として形成し、必要に応じて遮光部材や遮光層を設けるようにしてもよい。
【００３９】
以上の通り、本実施形態では、駆動源５３と、この駆動源５３を通じて軸回り回転する指針５４と、この指針５４に対応した指標部５５４を設けてなる表示板５５とを有し、指針５４によって指標部５５４を指示する指針式表示手段５と、観察者から見て指針５４の回転中心領域ＲＡを含む第１の指針領域ＰＡ１及び当該第１の指針領域ＰＡ１の周囲に位置する表示板５５の第１の表示板領域ＤＡ１を透視不能に覆うと共に指針５４の自由端側に位置する第２の指針領域ＰＡ２及び少なくとも指標部５５４を含む第２の表示板領域ＤＡ２を視認できるように指針式表示手段５上に設けられる液晶表示手段６と、指針式表示手段５の前記観察者とは反対側に設けられ指針５４及び指標部５５４を照明する光源５２とを備え、指針式表示手段５が、第１の指針領域ＰＡ及び第１の表示板領域ＤＡ１を光透過性材料にて形成することにより光源５２の光を液晶表示手段６に向けて透過させる透光領域を有し、指針式表示手段５と前記液晶表示手段６との間に、第２の指針領域ＰＡ２及び第２の表示板領域ＤＡ２を透視可能に覆い且つ前記透光領域を透過した光を液晶表示手段６に透過させる透光性材料からなり、液晶表示手段６を指針式表示手段５上に支持する支持部材７を設け、この支持部材７に、液晶表示手段６側に透過する光の透過量を調整する調光手段７４、または前記透光領域から第２の表示板領域ＤＡ２側に向かう光を遮光する遮光手段７５を設けたことにより、指針式表示部手段５に設けた透光領域を通じて液晶表示手段６が透過照明されるため、専用の光源が不要となり、構造の簡素化並びにコストダウンを達成することができる。しかも支持部材７に調光手段７４を設けた場合は、液晶表示手段６に向かう光量を調整することが可能であり、支持部材７に遮光手段７５を設けた場合は、前記第２の表示板領域ＤＡ２側に向かう光を遮光することが可能であるため、照明バランスも向上させることができる。また遮光手段７５を設けることで、斜めから見たときに第１の指針領域ＰＡ１や第１の表示板領域ＤＡ１が見えにくくなるといった利点もある。
【００４０】
また本実施形態では、調光手段７４が支持部材７に被着された網点層からなることにより、簡便で安価に調光を行うことができる。
【００４１】
また本実施形態では、遮光手段７５が指針式表示手段５に向けて伸びる遮光壁として前記透光領域に沿って形成されることにより、第２の表示板領域ＤＡ２側に向かう光を指針５４の作動範囲にわたって良好に遮光することができる。
【００４２】
なお本実施形態では、支持部材７に調光手段７４と遮光手段７５の双方を設けたが、いずれか一方を選択的に設けてもよい。
【図面の簡単な説明】
【００４３】
【図１】本発明の第１の実施形態による表示装置の正面図。
【図２】図１のＡ−Ａ断面図。
【符号の説明】
【００４４】
１  第１のケース体
２  第２のケース体
３  見返し部材
４  透明カバー
５  指針式表示手段
６  液晶表示手段
７  支持部材
５１  回路基板
５２  光源
５３  駆動源
５４  指針
５５  表示板
５６  導光板
７１  覆い部
７２  支持部
７３  位置規制部
７４  調光手段
７５  遮光手段
５３１  駆動軸
５４１  指示部
５４２  透過部材（光拡散部材）
５４３  反射部
５４４  着色層
５５１  基板
５５２  第１の層
５５３  第２の層
５５４  指標部
ＤＡ１  第１の表示板領域（透光領域）
ＤＡ２  第２の表示板領域
ＰＡ１  第１の指針領域（透光領域）
ＰＡ２  第２の指針領域
ＲＡ  回転中心領域
【図１】
2010112721.tif 000003
【図２】
2010112721.tif 000004